(57)【要約】【課題】ディスプレイに表示されている操作画面を切り替えることなく実行中である特定動作を停止させることができる表示制御装置を提供する。【解決手段】ディスプレイの操作画面を制御する表示制御装置であって、ユーザー指示に基づいて操作画面を切り替える切り替え部と、切り替えられた操作画面に表示するアイコンを制御する表示制御部と、操作画面に表示されたアイコンの選択により、選択されたアイコンに対応付けられた車両が備える機器の動作を実行する動作実行部と、を備え、表示制御部は、第１操作画面において所定の機器の特定動作を実行させるアイコンが選択されかつ特定動作が実行中である間は、切り替え部によって第１操作画面以外の第２操作画面に切り替えられても、所定の機器の特定動作を停止させるアイコンを第２操作画面に表示させる。【選択図】図２
2019061141.tif 000002
【特許請求の範囲】
【請求項１】
ディスプレイの操作画面を制御する表示制御装置であって、
ユーザー指示に基づいて前記操作画面を切り替える切り替え部と、
前記切り替えられた操作画面に表示するアイコンを制御する表示制御部と、
前記操作画面に表示されたアイコンの選択により、当該選択されたアイコンに対応付けられた車両が備える機器の動作を実行する動作実行部と、を備え、
前記表示制御部は、第１操作画面において所定の機器の特定動作を実行させるアイコンが選択されかつ当該特定動作が実行中である間は、前記切り替え部によって当該第１操作画面以外の第２操作画面に切り替えられても、当該所定の機器の特定動作を停止させるアイコンを当該第２操作画面に表示させる、
表示制御装置。
【発明の詳細な説明】
【技術分野】
【０００１】
本発明は、車両に搭載される表示制御装置に関する。
【背景技術】
【０００２】
例えば、特許文献１に、ディスプレイ画面へ操作者の手が接近したことをセンサーで検知して予め定められた次画面にディスプレイの表示を自動的に切り替えることができる表示制御装置が、開示されている。
【先行技術文献】
【特許文献】
【０００３】
【特許文献１】特開２００９−２１６８８８号公報
【発明の概要】
【発明が解決しようとする課題】
【０００４】
上記特許文献１に記載された表示制御装置では、例えば、ある任意の第１機器の操作画面において第１機器の特定動作が実行された後に、ディスプレイの画面表示を第１機器以外の第２機器の操作画面に切り替えた場合には、その第２機器の操作画面からは実行中である第１機器の特定動作を停止させることができない。この場合には、第２機器の操作画面から第１機器の操作画面に再び切り替えてから、第１機器の特定動作を停止させる必要がある。
【０００５】
本発明は、上記課題を鑑みてなされたものであり、ディスプレイに表示されている操作画面を切り替えることなく、実行中である特定動作を停止させることができる表示制御装置を、提供することを目的とする。
【課題を解決するための手段】
【０００６】
上記課題を解決するために、本発明の一態様は、ディスプレイの操作画面を制御する表示制御装置であって、ユーザー指示に基づいて操作画面を切り替える切り替え部と、切り替えられた操作画面に表示するアイコンを制御する表示制御部と、操作画面に表示されたアイコンの選択により、選択されたアイコンに対応付けられた車両が備える機器の動作を実行する動作実行部と、を備え、表示制御部は、第１操作画面において所定の機器の特定動作を実行させるアイコンが選択されかつ特定動作が実行中である間は、切り替え部によって第１操作画面以外の第２操作画面に切り替えられても、所定の機器の特定動作を停止させるアイコンを第２操作画面に表示させる、ことを特徴とする。
【０００７】
上記一態様では、所定の機器の操作画面（第１操作画面）で予め定められた特定動作を実行させるアイコンが選択されて特定動作が開始された場合、この特定動作が完了する前に別の操作画面（第２操作画面）に切り替えたときには、切り替えた後の別の操作画面に、実行中である特定動作を停止させることができるアイコンを表示させる。
【０００８】
この制御によって、所定の機器の特定動作が実行されている間は、ディスプレイの表示がその特定動作を実行させるアイコンを選択したときの操作画面（第１操作画面）から別の操作画面（第２操作画面）に切り替わっていたとしても、この別の操作画面に表示されるアイコンを選択することで実行中の特定動作を何時でも簡単に素早く停止させることができる。
【発明の効果】
【０００９】
上記本発明の表示制御装置によれば、ディスプレイに表示されている操作画面を切り替えることなく、実行中である特定動作を停止させることができる。
【図面の簡単な説明】
【００１０】
【図１】本発明の一実施形態に係る表示制御装置の構成例を示す概略図
【図２】表示制御装置が実行する操作画面の表示制御を説明するフローチャート
【図３】ディスプレイに表示される操作画面及びアイコンの一例を示す図
【図４】本発明の表示制御の利便性を分かり易く説明した図
【発明を実施するための形態】
【００１１】
［概要］
本発明は、ディスプレイの操作画面を制御する表示制御装置である。この表示制御装置は、ディスプレイに表示される操作画面において特定動作を実行させるアイコンが選択されて特定動作が開始された場合、特定動作の実行中に別の操作画面への切り替え要求が生じたときには、切り替え後の別の操作画面に特定動作を停止できるアイコンを表示させる。これにより、ディスプレイでどの操作画面が表示されていても、実行中である特定動作を簡単に素早く停止させることができる。
【００１２】
［構成］
図１は、本発明の一実施形態に係る表示制御装置１の構成例を示す概略図である。図１に示した本実施形態に係る表示制御装置１は、受け付け部１０と、動作実行部２０と、操作画面制御部３０と、ディスプレイ４０と、を備えている。
【００１３】
受け付け部１０は、車両のユーザーなどによって入力された所定の指示を受け付けることができる。所定の指示には、後述するディスプレイ４０の操作画面を切り替えるための指示（以下「操作画面切り替え指示」という）や、車両が備える機器に所定の動作を実行させるための指示（以下「機器動作指示」という）など、が含まれる。ユーザーの指示は、ディスプレイ４０の操作画面に表示されたアイコンを直接タッチすることで行われてもよいし、十字キーボタンなどの入力装置（図示せず）によって同アイコンが選択されることで行われてもよい。操作画面切り替え指示や機器動作指示を受け付けたことは、動作実行部３０及び操作画面制御部３０へ通知される。
【００１４】
動作実行部２０は、受け付け部１０で受け付けられた機器動作指示に基づいて、車両が備える機器の動作を実行することができる。特定動作とは、動作の実行を開始してから動作が完了して自動的に停止するまでに所定の時間を要する動作、又は実行した後の動作の停止をユーザーが指示する必要がある動作などである。例えば、シートを自動で移動させる動作（オート制御）が、特定動作に該当する。
【００１５】
操作画面制御部３０は、切り替え部３１と表示制御部３２とを含む。切り替え部３１は、受け付け部１０で受け付けられた操作画面切り替え指示に基づいて、ディスプレイ４０に表示させる操作画面の切り替えを制御することができる。操作画面は、予め複数用意されており、各操作画面については、画面表示させる少なくとも１つ以上のアイコンが予め定義されている。少なくとも一部のアイコンには、操作画面を切り替える操作や車両が備える機器の動作が予め対応付けられており、アイコンの選択によってこれらの操作や動作が実行可能に構成されている。
【００１６】
表示制御部３２は、受け付け部１０で受け付けられた操作画面切り替え指示及び機器動作指示に基づいて、ディスプレイ４０の操作画面に表示するアイコンを制御することができる。具体的には、操作画面制御部３０は、所定の機器において特定動作を実行している途中で操作画面の切り替えが指示された場合、切り替えられた後の操作画面においても引き続き、選択により所定の機器の特定動作を停止させることができるアイコンを表示させる制御を行う。
【００１７】
ディスプレイ４０は、操作画面制御部３０の制御に基づいて、操作画面及びアイコンの表示を行うことができる表示デバイスである。このディスプレイ４０は、例えば、ユーザーの指先など人体の一部によるタッチ操作が可能なインターフェースとすることができる。
【００１８】
［制御］
次に、図２及び図３を参照して、本発明の一実施形態に係る表示制御装置１が実行する制御を説明する。図２は、表示制御装置１が実行する操作画面の表示制御の処理手順を説明するフローチャートである。図３は、ディスプレイ４０に表示される操作画面及びアイコンの一例を示す図である。
【００１９】
図２に示す表示制御は、例えば、電源ＯＮなどによってディスプレイ４０に操作画面が表示されると開始され、電源ＯＦＦなどによってディスプレイ４０に操作画面が表示されなくなるまで繰り返し実行される。
【００２０】
ステップＳ２０１：ディスプレイ４０に表示させる操作画面の切り替えが指示されたか否かが判断される。例えば、現在表示されている操作画面（以下「第１操作画面」という。図３の例では、（ｂ）シート調整画面２００に該当する）から、この第１操作画面以外の操作画面（以下「第２操作画面」という。図３の例では、（ａ）ホーム画面１００又は（ｃ）ホーム画面１０１に該当する）へ、操作画面の切り替えが指示されたか否かが判断される。操作画面の切り替えが指示された場合は（Ｓ２０１、Ｙｅｓ）、ステップＳ２０２に処理が進む。一方、操作画面の切り替えが指示されていない場合は（Ｓ２０１、Ｎｏ）、ステップＳ２０１の処理を繰り返す。
【００２１】
ステップＳ２０２：ディスプレイ４０に現在表示されている第１操作画面において、所定の機器の特定動作が実行中であるか否かが判断される。図３の例では、（ｂ）シート調整画面２００におけるアイコン２１０に対応付けられたシート自動調整動作が実行中であるか否かが該当する。特定動作が実行中である場合は（Ｓ２０２、Ｙｅｓ）、ステップＳ２０３に処理が進む。一方、特定動作が実行中ではなかった場合は（Ｓ２０２、Ｎｏ）、ステップＳ２０４に処理が進む。
【００２２】
ステップＳ２０３：ディスプレイ４０に表示させる操作画面が、第１操作画面から第２操作画面へ切り替えられ、かつ、切り替えられた第２操作画面において、選択により特定動作を停止させることができるアイコンが表示される。図３の例では、（ｂ）シート調整画面２００から、シート自動調整停止操作が対応付けられたアイコン２２０が表示された（ｃ）ホーム画面１０１へ切り替えられる。操作画面の切り替え及びアイコンの表示が行われると、ステップＳ２０１に処理が戻る。
【００２３】
ステップＳ２０４：ディスプレイ４０に表示させる操作画面が、第１操作画面から第２操作画面へ切り替えられる。図３の例では、（ｂ）シート調整画面２００から、（ａ）ホーム画面１００へ切り替えられる。操作画面の切り替えが行われると、ステップＳ２０１に処理が戻る。
【００２４】
なお、選択により特定動作を停止させることができるアイコンが表示された後に、特定動作が完了した場合は、例えば、完了した時点で直ちにアイコンを消去してもよいし、次に操作画面が切り替えられた際にアイコンを消去してもよい。
【００２５】
図４は、本実施形態に係る表示制御の利便性を、従来の制御と対比して分かり易く説明した図である。図４では、ユーザーの意思によって、操作画面がシート調整画面に切り替えられ、シートの自動制御が選択される。その後、オーディオ機器の操作のため、操作画面がシート調整画面からホーム画面に切り替えられるが、シートの自動制御を停止したいという意思が生じる。このとき、従来の制御では、ホーム画面から再びシート調整画面へ切り替えてからシートの自動制御を停止する必要があった。これに対して、本発明の制御では、ホーム画面に表示されている停止用のアイコンを直接操作できるため、直ちにシートの自動制御を停止させることができる。
【００２６】
本願明細書におけるディスプレイ４０は、例えば、シートの背もたれ部に収納可能な後部座席のアームレスト部に備えられる。ユーザーは、ディスプレイ４０を操作したい場合に、背もたれ部からアームレスト部を引き出し、ディスプレイ４０を操作することができる。
【００２７】
［作用・効果］
以上のように、本発明の一実施形態に係る表示制御装置１によれば、所定の機器の第１操作画面（シート調整画面２００）において予め定められた特定動作が対応付けられたアイコン２１０が選択されて特定動作が開始された場合において、例えばこの特定動作が完了する前に第２操作画面に切り替える必要が生じたときには、切り替えた後の第２操作画面（ホーム画面１０１）に、実行中である特定動作の停止が対応付けられたアイコン２２０を表示させる。
【００２８】
この制御によって、所定の機器の特定動作が実行中である間は、ディスプレイ４０の表示がその特定動作を実行させるアイコンを選択したときの第１操作画面（シート調整画面２００）から第２操作画面（ホーム画面１０１）に切り替わっていたとしても、この第２操作画面（ホーム画面１０１）に表示されるアイコン２２０を選択することで実行中の特定動作を何時でも簡単に素早く停止させることができる。
【産業上の利用可能性】
【００２９】
本発明の表示制御装置は、車両が備える機器の操作画面をディスプレイに表示させるシステムなどに利用可能である。
【符号の説明】
【００３０】
１    表示制御装置
１０  受け付け部
２０  動作実行部
３０  操作画面制御部
３１  切り替え部
３２  表示制御部
４０  ディスプレイ
１００、１０１  ホーム画面
２００  シート調整画面
２１０、２２０  アイコン
【図１】
2019061141.tif 000003
【図２】
2019061141.tif 000004
【図３】
2019061141.tif 000005
【図４】
2019061141.tif 000006